【事件の表示】
　特願２０１５−　４１０３１「三次元造形装置、製造方法およびコンピュータープログラム」拒絶査定不服審判事件〔平成２８年　９月　５日出願公開、特開２０１６−１５９５３６、請求項の数（８）〕について、次のとおり審決する。
【結　論】
　原査定を取り消す。
　本願の発明は、特許すべきものとする。
【理　由】
第１　手続の経緯
　
　本願は、平成２７年３月３日の出願であって、平成３０年９月６日付けで拒絶理由通知がされ、同年１１月８日に意見書が提出され、同年１２月６日付けで拒絶査定（以下、「原査定」という。）がされ、これに対し、平成３１年３月７日に拒絶査定不服審判の請求がされたものである。
　
　
第２　原査定の理由の概要
　原査定の理由の概要は次のとおりである。
　
　本願請求項１−８に係る発明は、以下の引用文献に記載された発明に基づいて、その発明の属する技術の分野における通常の知識を有する者（以下、「当業者」という。）が容易に発明をすることができたものであるから、特許法第２９条第２項の規定により特許を受けることができない。
　
引用文献等一覧
　１．特開２００４−２３０８９５号公報
　２．特開２０１０−１４９３２６号公報
　３．特開２００５−８８４３２号公報　
　
　なお、本願の請求項１、７、８に係る発明については、引用文献１を主引用例とし、引用文献２を副引用例としている。
　
　
第３　本願発明
　本願の請求項１−８に係る発明（以下、それぞれ「本願発明１」−「本願発明８」という。）は、願書に添付された特許請求の範囲の請求項１−８に記載された事項により特定される発明であり、そのうち、いわゆる独立請求項である請求項１、７、８に係る発明は以下のとおりである。
　
「【請求項１】
　断面体をＺ方向に複数積層して三次元の物体を造形する三次元造形装置であって、
　前記断面体のＸ方向の造形解像度と、前記断面体のＹ方向の造形解像度と、前記断面体の前記Ｚ方向への積層間隔とに応じて定まる単位格子毎に、前記物体の材料となる液体を吐出して前記物体を造形するヘッド部と、
　前記ヘッド部を制御する制御部と、を備え、
　前記単位格子は、前記Ｚ方向に並ぶ複数の副単位格子を有し、
　前記ヘッド部は、無彩色液体と、複数種類の有彩色液体とを、それぞれ、指定された量、前記各副単位格子内に吐出可能であり、
　前記制御部は、前記ヘッド部を制御して、前記各副単位格子に対して、前記複数種類の有彩色液体のうち、いずれかの有彩色液体を指定した量、吐出させた場合に、前記副単位格子の空間体積が満たされない場合には、前記有彩色液体に加えて、前記無彩色液体を前記副単位格子に吐出させて、前記副単位格子の空間体積を満たす、
　三次元造形装置。」
　
「【請求項７】
　断面体をＺ方向に複数積層して三次元の物体を造形する三次元造形装置によって三次元の物体を製造する製造方法であって、
　前記三次元造形装置は、前記断面体のＸ方向の造形解像度と、前記断面体のＹ方向の造形解像度と、前記断面体の前記Ｚ方向への積層間隔とに応じて定まる単位格子毎に、前記物体の材料となる液体を吐出して前記物体を造形するヘッド部を備え、
　前記単位格子は、前記Ｚ方向に並ぶ複数の副単位格子を有し、
　前記ヘッド部は、無彩色液体と、複数種類の有彩色液体を、それぞれ、指定された量、前記各副単位格子内に吐出可能であり、
　前記ヘッド部を制御して、前記各副単位格子に対して、前記複数種類の有彩色液体のうち、いずれかの有彩色液体を指定した量、吐出させた場合に、前記副単位格子の空間体積が満たされない場合には、前記有彩色液体に加えて、前記無彩色液体を前記副単位格子に吐出させて、前記副単位格子の空間体積を満たす、
　製造方法。」
　　
「【請求項８】
　断面体をＺ方向に複数積層して三次元の物体を造形する三次元造形装置をコンピューターが制御して三次元の物体を製造するためのコンピュータープログラムであって、
　前記三次元造形装置は、前記断面体のＸ方向の造形解像度と、前記断面体のＹ方向の造形解像度と、前記断面体の前記Ｚ方向への積層間隔とに応じて定まる単位格子毎に、前記物体の材料となる液体を吐出して前記物体を造形するヘッド部を備え、
　前記単位格子は、前記Ｚ方向に並ぶ複数の副単位格子を有し、
　前記ヘッド部は、無彩色液体と、複数種類の有彩色液体を、それぞれ、指定された量、前記各副単位格子内に吐出可能であり、
　前記ヘッド部を制御して、前記各副単位格子に対して、前記複数種類の有彩色液体のうち、いずれかの有彩色液体を指定した量、吐出させた場合に、前記副単位格子の空間体積が満たされない場合には、前記有彩色液体に加えて、前記無彩色液体を前記副単位格子に吐出させて、前記副単位格子の空間体積を満たす機能、
　をコンピューターに実現させるためのコンピュータープログラム。」
　　
　なお、本願発明２ないし６は、何れも請求項１を直接又は間接的に引用する従属項に係る発明である。
　　
　　
第４　引用文献、引用発明等
１．引用文献１について
　引用文献１には、次の事項が記載されている。（下線は合議体が付したものである。なお、引用文献２、３においても同様。）
　　
「【請求項２６】
　
電子データから所望物体を製造するための三次元自由造形システムであって、
　
作製室と、
　
該作製室内で吐出される材料の連続的な層を分布させ、それによって前記物体を形成する可動ステージと
を備えており、前記可動ステージは、前記作製室内へ吐出される可変密度の材料を前記物体の段丘形成層の間の移行領域で前記物体の単一層内に吐出することを特徴とする三次元自由造形システム。
　
「【請求項３６】
　
三次元自由造形によって製造される物体の層を表すデータセットを処理する方法であって、
　
前記層をサブ層に分割すること、及び
　
層間の所定条件が満たされる時、前記サブ層に対してサブボクセルの加算または減算を自動的に行うこと
を含むことを特徴とする方法。
【請求項３７】
　
前記物体の対応する層を形成するために吹き付けられる吐出材料の量を変化させることによって、加算または減算サブボクセルを表すことをさらに含むことを特徴とする、請求項３６に記載の方法。
　　
「【０００１】
　本発明は、三次元自由造形に関する。」
　　
「【００１５】
　
本発明は、三次元自由造形において、効率よく滑らかな輪郭を持つ物体を製造する方法を提供する。
　　
「【００１９】
　
本明細書は、上記段丘形成効果を軽減しながら、好ましくは流体吐出技術を使用した三次元自由造形システムによって物体を形成する技法を記載する。
「バインダー」という用語は、接着剤か、あるいは構成材料を選択的に互いに結合して所望の製品にするために吐出される任意の他の物質である。
「ボクセル」という用語は、ｘ、ｙ及びｚ座標に長さを有するアドレス指定可能な体積である体積ピクセル(volumetric pixel)のことである。「サブボクセル」という用語は、ボクセルのサブセットのことであり、ボクセルは多くのサブボクセルによって構成される。 たとえば、１つのボクセルを３軸すべてで半分に分割すると、８個のサブボクセルが生じるであろう。サブボクセルからなるボクセルは、スーパーボクセルと呼ぶこともできる。また、「小さい」及び「大きい」という用語は、互いの相対的な大きさを表し、いずれかの特定の寸法、体積、質量または形状を表すことはない。
　　
「【００２０】
  次に図面を参照すると、特に図２では、液体吐出技術を使用した１つの三次元自由造形システムが記載されている。本発明の実施形態は、図示の自由造形システムに組み込まれることができる。上述したように、自由造形システムは、バインダー噴射システム、またはバルク噴射システムでもよい。簡単にするために、ここではバインダー噴射システムの場合で図２の三次元自由造形システム（２００）を説明する。
【００２１】
　図２の三次元自由造形システム（２００）では、バルク粉末物質(bulk powder substance)などの構成材料を使用して、
所望物体の個々の層が形成される。
【００２２】
　
１つの液体吐出装置
を三次元自由造形システム（２００）の可動ステージ（２０３）内に収容することができる。あるいは、三次元自由造形システム（２００）は、多数の液体吐出装置を備えて、その各々が個別に１つまたは複数の吐出流体を収容してもよい。
【００２３】
　
可動ステージ（２０３）が粉末を分配してから、流体吐出装置が接着剤またはバインダーを作製室（２０２）内の粉末上に二次元パターンで付着させる。
【００２４】
　別法として、流体吐出装置が噴射ポリマーなどの構成材料を選択的に付着させて、所望製品または所望製品の横断面を形成することもできる。
バインダーまたは構成材料は、インク、トナーまたは他の製品で着色して、所望製品の個々の横断面に所望の色または色パターンを設けてもよい。
【００２５】
　
バインダーを粉末状構成材料内で用いている場合、バインダーを付着させた領域内で粉末が結合し、それによって所望製品の三次元層が形成される。
【００２６】
　バインダーを粉末状構成材料内に吐出するか、流体構成材料を吐出する場合のいずれでも、所望物体が作製室（２０２）内で完全に形成されるまで、処理が継続する。結合しない余剰粉末、または吐出された支持材料をすべて除去することができ、作製された物体だけが残る。ユーザが製造工程を制御できるように、ユーザインターフェースまたは操作盤（２０４）が設けられている。
【００２７】
　三次元自由造形システム（２００）の可動ステージ（２０３）は、所望物体の層の形成または着色用に材料を吐出するために、インクジェット技術、たとえば、ドロップオンデマンド液滴吐出装置を備える場合が多い。ドロップオンデマンド滴技術(drop-on-demand technology)を用いる場合、可動ステージ（２０３）は、作製中の物体を形成するために、透明または着色材料滴を選択パターンで吐出するための（上述したような）１つまたは複数のドロップオンデマンドプリントヘッドを含むことができる。
【００２８】
　粉末状構成材料内へのバインダーの選択的吐出を使用する自由造形システムの例では、作製中の物体の層を形成しようとする構成材料の各単位体積に均一量のバインダーを吐出することが一般的なやり方であった。
本明細書で使用する時の「濃度」という用語とは、構成材料の単位体積に添加するバインダーの量のことである。本明細書に開示されている原理によれば、構成材料の単位体積に添加されるバインダーの濃度は変化することができる。
【００２９】
　たとえば、従来型自由造形処理は、物体層のすべての位置の１平方ミリメートル当たり一定量のバインダーを吐出することができる。それから、バインダーは均一にある量の構成材料に染み込んでそれを結合する。あるいは、従来型システムは、物体層のすべての位置で一定量の構成材料を吐出することができる。
本明細書に開示されている原理によれば、物体層全体に添加されるバインダーまたは構成材料の量を変化させて、段丘形成効果を軽減することができる。
　　
「【００５３】
　本明細書で記載するＲＥＴ方法は、概念的には分解能エンハンスメント技法（たとえば、参照によって本明細書に援用される米国特許第５，６５０，８５８号）を含む書き込みシステムに似ている。しかし、Ｚ軸分解能エンハンスメント技法（ＺＲＥＴ）の場合、エンハンスメントはＺ方向である。
【００５４】
　
制御コンピュータから三次元自由造形システム（２００、図２）へのデータ転送
【００５５】
　多くの三次元図面パッケージは、高速プロトタイピング用のファイル（ＳＴＬが高速プロトタイピング用の一般的なファイルフォーマットである）、あるいは、インターネット用のファイル（ＶＲＭＬがインターネット用の一般的なファイルフォーマットである）の作成時に、データセットを自動的に妥協させる。低分解能データセットは、ファイル圧縮の結果として段丘形成効果を誇張するであろう。したがって、段丘形成効果を自動的に軽減するために、ＺＲＥＴを適用することができる。しかし、ＺＲＥＴは、任意のデータセットに、また、物体表面をさらに改善するために高分解能のデータセットにも使用することができる。上記ＺＲＥＴ技法を実行することによって、大幅なデータの節減を行うことができるが、ＺＲＥＴはデータ圧縮に制限されない。ＺＲＥＴは、任意の三次元自由造形データセットをさらに向上させるために使用することができる。
【００５６】
　図６ａ〜図６ｄを参照すると、１つのＺＲＥＴの説明が示されている。図６ａは、物体（６００）の低分解能ボクセルデータ表示を示す。
図６ａの物体（６００）は、第１、第２及び第３層（６０２、６０４、６０６）を含み、これらはそれぞれ高さが１ボクセルである）。
上記ＺＲＥＴ技法によれば、三次元自由造形システム（２００、図２）は、低分解能データセットに伴う段丘形成効果を自動的に軽減するようにプログラムすることができる。たとえば、３層（６０２／６０４／６０６）を自動的にスライスして、図６ｂに示されているようなサブ層にすることができる。任意数のサブ層を形成することができるが、図６ｂの例示的実施形態は、各層（６０２／６０４／６０６）に対して２つのサブ層（ａ及びｂ）だけを示す。
【００５７】
　三次元自由造形システム（２００）は次に、任意の所定パラメータに従って、層またはサブ層から一定のサブボクセルを加算または減算することができる。システム（２００）は、親ボクセルに対して一定のサブボクセルを加算するか、減算するか、あるいは否かを決定するために、段丘に関するデータを考慮に入れるようにプログラムすることができる。たとえば、
図６ｃの実施形態によれば、第１及び第２サブボクセル（６０８及び６１０）を第１及び第２層（６０６及び６０４）のサブ層（ｂ）に加え、第３サブボクセル（６１２）を第２層（６０４）のサブ層（ａ）から削除する。したがって、一定のサブボクセルの加算及び／または減算によって、段丘形成効果が軽減され、結果的に図６ｄに示された最終物体（６００）が得られる。
【００５８】
　三次元自由造形システム（２００、図２）は、所定のパラメータでプログラムされて、それにより、層間の段丘形成部を測定して、層間のパラメータが満たされる時、一定層の一定サブボクセルを加算または減算する。それにより、薄い層を詳述する追加データを必要としないで、結果的に得られる物体（６００）の分解能が大幅に向上するであろう。また、上述したように、高分解能データセットでも、ＺＲＥＴを実行して物体の一定サブボクセルを加算または減算することによって、さらに向上させることができる。場合によってはＺＲＥＴの実行によってデータの節減を行うことができるが、ＺＲＥＴは、データの節減または圧縮をまったく行わないで、得られる物体の分解能を向上させるためだけに適用することもできる。」
　　
「　　
　　　　　　　　　　　　　　　 」
　　
「　　
　　　　　　　　　　　　　　　」
「
　　　　　　　　　　　　　   」
　　
「
　　　　　　　　　　　　　　　」
　　
「
　　　　　　　　　　　　　　」
　　
　以上の記載を総合すると、引用文献１には次の発明が記載されていると認める。
　
「所望物体の層を複数積層して三次元の物体を造形する三次元自由造形システムであって、
　ｘ、ｙ及びｚ座標に長さを有するアドレス指定可能な体積であるボクセル毎に所望の色に着色した接着剤またはバインダーを吐出し製品の三次元層を形成する流体吐出装置と、
　前記流体吐出装置を制御する制御コンピュータと、を備え、
　前記ボクセルは、高さ方向にスライスされたサブボクセルを有し、
　三次元自由造形システムは、層間の段丘形成部を測定して、層間のパラメータが満たされる時、一定層の一定サブボクセルを加算または減算し、液体吐出装置から吐出するバインダーまたは構成材料の量を変化させる、
　三次元自由造形システム。」（以下、「引用文献１システム発明」という。）
　
「所望物体の層を複数積層して三次元の物体を造形する三次元自由造形システムによって、三次元の物体を製造する製造方法であって、
　上記システムは、ｘ、ｙ及びｚ座標に長さを有するアドレス指定可能な体積であるボクセル毎に所望の色に着色した接着剤またはバインダーを吐出し製品の三次元層を形成する流体吐出装置と、
　前記流体吐出装置を制御する制御コンピュータと、を備え、
　前記ボクセルは、高さ方向にスライスされたサブボクセルを有しており、
　層間の段丘形成部を測定して、層間のパラメータが満たされる時、一定層の一定サブボクセルを加算または減算し、液体吐出装置から吐出するバインダーまたは構成材料の量を変化させる、
　製造方法。」（以下、「引用文献１製法発明」という。）
　
「所望物体の層を複数積層して三次元の物体を造形する三次元自由造形システムをコンピュータが制御して三次元の物体を製造するためのコンピュータプログラムであって、
　上記システムは、ｘ、ｙ及びｚ座標に長さを有するアドレス指定可能な体積であるボクセル毎に所望の色に着色した接着剤またはバインダーを吐出し製品の三次元層を形成する流体吐出装置と、
　前記流体吐出装置を制御する制御コンピュータと、を備え、
　前記ボクセルは、高さ方向にスライスされたサブボクセルを有しており、
　層間の段丘形成部を測定して、層間のパラメータが満たされる時、一定層の一定サブボクセルを加算または減算し、液体吐出装置から吐出するバインダーまたは構成材料の量を変化させる機能、
　をコンピュータに実現させるためのコンピュータプログラム。」（以下、「引用文献１プログラム発明」という。）
　　
２．引用文献２について
　引用文献２には、次の事項が記載されている。
　　
「【請求項１】
　
中間転写体と、
　外部からの刺激により硬化する硬化性樹脂を少なくとも含む
硬化性溶液を前記中間転写体上に供給する供給手段と、
　前記供給手段によって前記硬化性溶液が前記中間転写体上に供給されることにより該中間転写体上に形成された
硬化性溶液層にインクを吐出する第１の吐出手段と、
　前記硬化性溶液層に
硬化性溶液層表面凹凸調整液を吐出する第２の吐出手段と、
　前記インク及び前記硬化性溶液層表面凹凸調整液の吐出された前記硬化性溶液層を記録媒体に接触させ、
前記中間転写体から前記記録媒体に前記硬化性溶液層を転写する転写手段と、
　
前記硬化性溶液層を硬化させる前記刺激を前記硬化性溶液層に供給する刺激供給手段と、
　
画像データに基づいて、該画像データの画像の各画素に応じたドットを記録するためのインクを吐出するように前記第1の吐出手段を制御すると共に、該インクの吐出によって前記硬化性溶液層上に形成される画像領域以外の非画像領域に前記硬化性溶液層表面凹凸調整液を吐出するように前記第２の吐出手段を制御する制御手段と、
　
を備えた記録装置。
　　
「【０００６】
　
本発明は、中間転写体から記録媒体への硬化性溶液層の転写における密着性と、画像乱れの抑制と、の双方の実現された記録装置を提供することを目的とする。
　　
「【０１８６】
―硬化性溶液層表面凹凸調整液―
　以下、硬化性溶液層表面凹凸調整液の詳細について説明する。
　硬化性溶液層表面凹凸調整液としては、上述のように、インク液１４Ａによって形成される画像領域Ｔの色相に影響を与えない色相であり（例えば、白色や透明等）被硬化層１２Ｂに吐出することで該被硬化層１２Ｂの表面凹凸状態を調整する液体であればよいが、好ましくは、被硬化層１２Ｂの硬化性溶液層表面凹凸調整液１５Ａに対する膨潤度が、被硬化層１２Ｂのインク滴１４Ａに対する膨潤度と、同じであることが好ましい。」
　　
「【０２２９】
　硬化性溶液層表面凹凸調整液データ作成部４１において上記ステップ２００〜ステップ２２４の処理が実行されることで硬化性溶液層表面凹凸調整液データが作成される。
　そして、上述のように、画像記録部４０において、記録データ作成部４２で作成されたＹＭＣＫの記録データに従って、各色インクジェット記録ヘッド１４のノズルからインク滴１４Ａが吐出されることで、被硬化層１２Ｂ上には形成対象の画像の画素に応じたドットが形成されて画像領域Ｔが形成される。
　そして、該被硬化層１２Ｂ上の画像領域Ｔ、及び画像領域Ｔ以外の非画像領域Ｂの双方に、記録データ作成部４２に設けられた硬化性溶液層表面凹凸調整液データ作成部４１で作成された硬化性溶液層表面凹凸調整液データに従って、硬化性溶液層表面凹凸調整液吐出ヘッド１５のノズルから硬化性溶液層表面凹凸調整液１５Ａが、上記ステップ２２２で設定された吐出量Ｘ吐出される。
【０２３０】
　このため、
図９に示すように中間転写ベルト１０上に形成された被硬化層１２Ｂ上の、インク滴１４Ａの吐出によって形成された画像領域Ｔ及び非画像領域Ｂの各々の各画素に対応する各領域には、吐出されるインク滴１４Ａ及び硬化性溶液層表面凹凸調整液１５Ａの総量が画像領域Ｔのインク最大吐出量Ｍとなるように、インク滴１４Ａ、またはインク滴１４Ａ及び硬化性溶液層表面凹凸調整液１５Ａが吐出されることとなる。
【０２３１】
　この被硬化層１２Ｂのインク滴１４Ａ及び硬化性溶液層表面凹凸調整液１５Ａの吐出された領域は、中間転写ベルト１０の回動によって転写装置１６の設けられた位置に達すると、上述のように、加圧ロール１６Ａ及び１６Ｂによって挟み込んで圧力をかけられて、その後、支持ロール１０Ｃ及び支持体２２によって挟まれた位置（剥離位置）までは、被硬化層１２Ｂが中間転写ベルト１０及び記録媒体Ｐの両方に接触した状態が維持される。そして、刺激供給装置１８によって、中間転写ベルト１０及び記録媒体Ｐの両方に接触した状態の被硬化層１２Ｂに、中間転写ベルト１０を介して刺激が供給されることで、被硬化層１２Ｂが硬化する。そして、剥離位置において被硬化層１２Ｂが中間転写ベルト１０から剥離されることにより、インク滴１４Ａによる画像領域Ｔの形成された硬化性樹脂層（画像層）が記録媒体Ｐに形成される。」　　
　　
「
　　　　　　　　　　　　　　　　」
　　
３．引用文献３について
　引用文献３には、次の事項が記載されている。
　　
「【０００１】
　本発明は、三次元造形物の製造方法及びこれに使用する製造装置に関し、更に詳しくは、対象とする三次元造形物を平行な複数の断面により切断した断面形状を逐次積層することにより三次元造形物を製造する方法及びこれに使用する製造装置に関する。」
　　
「【０００９】
　本発明は、短時間にかつ低コストで、強度に優れ、表面光沢度や透明性が高く、着色された外観を有する三次元造形物を製造する方法及びこの方法に使用する製造装置を提供することを目的としている。」
　　
「【００２３】
　図３は第２ステップで生成される格子状に細分化された断面データの一例を示す平面図である。図３において、斜線を付した格子が結合剤の吐出される領域である。このとき、造形物の最外層に位置する格子点の吐出倍率を上記の範囲内で高くする。途中の断面形状では外表面に相当する輪郭格子点に内部格子点よりも多量の結合剤を吐出させる。輪郭格子点に隣接する数格子分の隣接格子点にまで吐出倍率を高くしてもよい。隣接する数格子とは、１〜１０格子分であることが好ましく、１〜５格子分とすることがより好ましい。
　吐出倍率の調節は、１回の吐出量を変化すること、及び／又は、同じ格子点への吐出回数を多くすることにより、可能である。」
　　
【００８２】
　
本発明おいて造形物の外表面に彩色するためには、断面形状の輪郭に上記のＹＭＣ結合剤による着色画像を形成し、この着色画像の直下に白色反射層を設けることが好ましい。
　白色顔料の具体例としては、塩基性炭酸鉛（２ＰｂＣＯ3Ｐｂ（ＯＨ）2、いわゆる、シルバーホワイト）、酸化亜鉛（ＺｎＯ、いわゆる、ジンクホワイト）、酸化チタン（ＴｉＯ2、いわゆる、チタンホワイト）、チタン酸ストロンチウム（ＳｒＴｉＯ3、いわゆる、チタンストロンチウムホワイト）などが利用可能である。」
　　
「　　
　　　　　　　　　　　　」
　　
　　
第５　対比・判断
１．本願発明１について
（１）対比
　引用文献１システム発明の「三次元自由造形システム」は、流体吐出装置や制御コンピュータを含む装置で構成されるものであるから、本願発明１の「三次元造形装置」に相当する。
　また、引用文献１システム発明の「所望物体の層」、「複数積層」すること、「接着剤またはバインダー」、「制御コンピュータ」はそれぞれ、本願発明１の「断面体」、「Ｚ方向に複数積層」すること、「物体の材料となる液体」、「制御部」に相当する。
　次に、引用文献１システム発明の「ボクセル」は、ｘ、ｙ及びｚ座標に長さを有するアドレス指定可能な体積、つまり、単位体積であるといえるから、結局のところ、本願発明１の「前記断面体のＸ方向の造形解像度と、前記断面体のＹ方向の造形解像度と、前記断面体の前記Ｚ方向への積層間隔とに応じて定まる単位格子」に相当する。さらに、引用文献１システム発明の「サブボクセル」はボクセルを高さ方向（本願発明１の「Ｚ方向」に相当）にスライスしたものであるから、本願発明１の「副単位格子」に相当するとともに、引用文献１システム発明の「ボクセル」は高さ方向にスライスしたサブボクセルの集合からなるもの、つまり、本願発明１の「Ｚ方向に並ぶ複数の副単位格子」からなるものと同旨であるといえる。
　
　したがって、本願発明１と引用文献１システム発明とを対比すると、両者は、
　
「断面体をＺ方向に複数積層して三次元の物体を造形する三次元造形装置であって、
　前記断面体のＸ方向の造形解像度と、前記断面体のＹ方向の造形解像度と、前記断面体の前記Ｚ方向への積層間隔とに応じて定まる単位格子毎に、前記物体の材料となる液体を吐出して前記物体を造形するヘッド部と、
　前記ヘッド部を制御する制御部と、を備え、
　前記単位格子は、前記Ｚ方向に並ぶ複数の副単位格子を有する、
　三次元造形装置。」
　
で一致し、次の点で相違する。
　
（相違点１）
　三次元造形装置に関し、本願発明１では、
「ヘッド部は、無彩色液体と、複数種類の有彩色液体とを、それぞれ、指定された量、各副単位格子内に吐出可能であり、
　制御部は、前記ヘッド部を制御して、前記各副単位格子に対して、前記複数種類の有彩色液体のうち、いずれかの有彩色液体を指定した量、吐出させた場合に、前記副単位格子の空間体積が満たされない場合には、前記有彩色液体に加えて、前記無彩色液体を前記副単位格子に吐出させて、前記副単位格子の空間体積を満たす」ものであるのに対して、引用文献１システム発明では、そのような特定がない点。
　　
（２）相違点１についての判断
　上記相違点１について検討する。
　
　引用文献２には、「中間転写ベルト１０上に形成された被硬化層１２Ｂ上の、インク滴１４Ａの吐出によって形成された画像領域Ｔ及び非画像領域Ｂの各々の各画素に対応する各領域には、吐出されるインク滴１４Ａ及び硬化性溶液層表面凹凸調整液１５Ａの総量が画像領域Ｔのインク最大吐出量Ｍとなるように、インク滴１４Ａ、またはインク滴１４Ａ及び硬化性溶液層表面凹凸調整液１５Ａが吐出」すること（段落【０２３０】）が記載されている。
　しかしながら、引用文献２は、中間転写体から記録媒体への硬化性溶液層の転写をするための装置に関するものであって、三次元造形装置に関するものではない。
　他方、引用文献１システム発明は、三次元自由造形システム（三次元造形装置）に関するものであるから、液体を吐出する点では一見共通するように見えるものの、その用途は大きく異なるものである。
　してみれば、三次元自由造形システムに関する引用文献１システム発明において、引用文献２に記載された中間転写体から記録媒体への硬化性溶液層の転写をするための装置に関する技術的事項を採用する動機付けがないから、引用文献１システム発明に引用文献２に記載された技術的事項を適用することは、当業者にとって容易に想到し得るものとはいえない。
　また、仮に、引用文献１システム発明において、引用文献２の記載事項を適用する動機付けがあるとしても、引用文献１システム発明は、ボクセルをスライスした一部のサブボクセルのみに吐出し形成することにより、効率よく滑らかな輪郭を持つ物体を製造する方法を提供するものであるから、各領域（ボクセル）にインク最大吐出量となるようにする引用文献２の記載事項を適用するには、阻害要因があるものといえる。
　そして、本願発明１は、その特定事項を満たすことにより、「着色された三次元物体を造形するに際し、三次元物体の見かけの解像度が低下することを抑制する」（段落【０００６】）との格別の効果を奏するものである。
　したがって、本願発明１は、当業者であっても引用文献１システム発明、引用文献２に記載された技術的事項に基づいて容易に発明をすることができたものであるとはいえない。
　
　なお、引用文献３についても検討したが、引用文献３においても、三次元造形に関し、上記相違点１に関する吐出量制御についての記載を見出すこともできないから、本願発明１は、当業者であっても引用文献１システム発明、引用文献３に記載された技術的事項に基づいて容易に発明をすることができたものであるとはいえない。
　　
２．本願発明２−６について
　本願発明２−６は、請求項１を直接又は間接的に引用する従属項に係る発明であるから、本願発明１と同様に、当業者が引用発明に基づいて容易に発明をすることができたものであるとはいえない。
　　
３．本願発明７について
（１）対比
　引用文献１製法発明の「三次元自由造形システム」は、流体吐出装置や制御コンピュータを含む装置を用いて三次元造形物を製造するものであるから、本願発明７の「三次元造形装置」に相当する。
　また、引用文献１製法発明の「所望物体の層」、「複数積層」すること、「接着剤またはバインダー」、はそれぞれ、本願発明７の「断面体」、「Ｚ方向に複数積層」すること、「物体の材料となる液体」に相当する。
　次に、引用文献１製法発明の「ボクセル」は、ｘ、ｙ及びｚ座標に長さを有するアドレス指定可能な体積、つまり、単位体積であるといえるから、結局のところ、本願発明７の「前記断面体のＸ方向の造形解像度と、前記断面体のＹ方向の造形解像度と、前記断面体の前記Ｚ方向への積層間隔とに応じて定まる単位格子」に相当する。さらに、引用文献１製法発明の「サブボクセル」はボクセルを高さ方向（本願発明７の「Ｚ方向」に相当）にスライスしたものであるから、本願発明７の「副単位格子」に相当するとともに、引用文献１製法発明の「ボクセル」は高さ方向にスライスしたサブボクセルの集合からなるもの、つまり、本願発明７の「Ｚ方向に並ぶ複数の副単位格子」からなるものと同旨であるといえる。
　
　したがって、本願発明７と引用文献１製法発明とを対比すると、両者は、
　
「断面体をＺ方向に複数積層して三次元の物体を造形する三次元造形装置によって三次元の物体を製造する製造方法であって、
　前記三次元造形装置は、前記断面体のＸ方向の造形解像度と、前記断面体のＹ方向の造形解像度と、前記断面体の前記Ｚ方向への積層間隔とに応じて定まる単位格子毎に、前記物体の材料となる液体を吐出して前記物体を造形するヘッド部を備え、
　前記単位格子は、前記Ｚ方向に並ぶ複数の副単位格子を有する、
　製造方法。」
　
で一致し、次の点で相違する。
　
（相違点２）
　三次元造形装置によって三次元の物体を製造する製造方法に関し、本願発明７では、
「前記ヘッド部は、無彩色液体と、複数種類の有彩色液体とを、それぞれ、指定された量、前記各副単位格子内に吐出可能であり、
　前記ヘッド部を制御して、前記各副単位格子に対して、前記複数種類の有彩色液体のうち、いずれかの有彩色液体を指定した量、吐出させた場合に、前記副単位格子の空間体積が満たされない場合には、前記有彩色液体に加えて、前記無彩色液体を前記副単位格子に吐出させて、前記副単位格子の空間体積を満たす」ものであるのに対して、引用文献１製法発明では、そのような特定がない点。
　　
（２）相違点２についての判断
　上記相違点２は、上記１（１）であげた相違点１と同旨である。
　そして、上記１（２）の検討と同様の理由により、本願発明７は、当業者であっても引用文献１製法発明、引用文献２、３に記載された技術的事項に基づいて容易に発明をすることができたものであるとはいえない。　　
　　
４．本願発明８について
（１）対比
　引用文献１プログラム発明の「三次元自由造形システム」は、流体吐出装置や制御コンピュータを含む装置で構成されるものであるから、本願発明８の「三次元造形装置」に相当する。
　また、引用文献１プログラム発明の「所望物体の層」、「複数積層」すること、「接着剤またはバインダー」はそれぞれ、本願発明８の「断面体」、「Ｚ方向に複数積層」すること、「物体の材料となる液体」に相当する。
　次に、引用文献１プログラム発明の「ボクセル」は、ｘ、ｙ及びｚ座標に長さを有するアドレス指定可能な体積、つまり、単位体積であるといえるから、結局のところ、本願発明８の「前記断面体のＸ方向の造形解像度と、前記断面体のＹ方向の造形解像度と、前記断面体の前記Ｚ方向への積層間隔とに応じて定まる単位格子」に相当する。さらに、引用文献１プログラム発明の「サブボクセル」はボクセルを高さ方向（本願発明８の「Ｚ方向」に相当）にスライスしたものであるから、本願発明８の「副単位格子」に相当するとともに、引用文献１プログラム発明の「ボクセル」は高さ方向にスライスしたサブボクセルの集合からなるもの、つまり、本願発明８の「Ｚ方向に並ぶ複数の副単位格子」からなるものと同旨であるといえる。
　
　したがって、本願発明８と引用文献１プログラム発明とを対比すると、両者は、
　
「断面体をＺ方向に複数積層して三次元の物体を造形する三次元造形装置をコンピューターが制御して三次元の物体を製造するためのコンピュータープログラムであって、
　前記三次元造形装置は、前記断面体のＸ方向の造形解像度と、前記断面体のＹ方向の造形解像度と、前記断面体の前記Ｚ方向への積層間隔とに応じて定まる単位格子毎に、前記物体の材料となる液体を吐出して前記物体を造形するヘッド部を備え、
　前記単位格子は、前記Ｚ方向に並ぶ複数の副単位格子を有し、
　ヘッド部を制御すること、
　をコンピューターに実現させるためのコンピュータープログラム。」
　
で一致し、次の点で相違する。
　
（相違点３）
　三次元造形装置をコンピューターが制御して三次元の物体を製造するためのコンピュータープログラムに関し、本願発明８では、
「前記ヘッド部は、無彩色液体と、複数種類の有彩色液体とを、それぞれ、指定された量、前記各副単位格子内に吐出可能であり、
　前記ヘッド部を制御して、前記各副単位格子に対して、前記複数種類の有彩色液体のうち、いずれかの有彩色液体を指定した量、吐出させた場合に、前記副単位格子の空間体積が満たされない場合には、前記有彩色液体に加えて、前記無彩色液体を前記副単位格子に吐出させて、前記副単位格子の空間体積を満たす機能」を有するものであるのに対して、引用文献１プログラム発明では、そのような特定がない点。　　
　　
（２）相違点についての判断
　上記相違点３は、上記１（１）であげた相違点１と同旨である。
　そして、上記１（２）の検討と同様の理由により、本願発明８は、当業者であっても引用文献１プログラム発明、引用文献２、３に記載された技術的事項に基づいて容易に発明をすることができたものであるとはいえない。　　　
　　
第６　むすび
　以上のとおり、原査定の理由によっては、本願を拒絶することはできない。
　また、他に本願を拒絶すべき理由を発見しない。
　よって、結論のとおり審決する。